(57)【要約】  ホログラム記録媒体（Ｂ）における記録光（Ｓ）の照射部位（ｐ）に参照光（Ｒ）を照射し、これら記録光（Ｓ）と参照光（Ｒ）との干渉によって照射部位（ｐ）にホログラムを多重記録するホログラム記録装置であって、参照光（Ｒ）を照射部位（ｐ）へと導く記録用の参照光反射手段（１０）と、ホログラム記録媒体（Ｂ）に対する反射後の参照光（Ｒ）の入射角（θｒ）を変化させるように、記録用の参照光反射手段（１０）を所定の軸（ｘ）周りに揺動させる揺動手段とを備え、記録用の参照光反射手段（１０）は、所定の光路と交錯するように配置されている一方、揺動手段における所定の軸（ｘ）は、記録用の参照光反射手段（１０）が揺動することによって反射後の参照光（Ｒ）の入射角（θｒ）が変化しても、この反射後の参照光（Ｒ）を照射部位（ｐ）に向けて指向させるように配置されている。
2008001573.tif 000002
【特許請求の範囲】
【請求項１】
ホログラム記録媒体に対して記録光を照射するとともに、上記ホログラム記録媒体における上記記録光の照射部位に参照光を照射し、これら記録光と参照光との干渉によって上記照射部位にホログラムを多重記録するホログラム記録装置であって、
記録時に所定の光路に沿って進行してきた上記参照光を反射することにより、反射後の参照光を上記照射部位へと導く記録用の参照光反射手段と、
上記ホログラム記録媒体に対する上記反射後の参照光の入射角を変化させるように、上記記録用の参照光反射手段を所定の軸周りに揺動させる揺動手段とを備え、
上記記録用の参照光反射手段は、上記所定の光路と交錯するように配置されている一方、上記揺動手段における上記所定の軸は、上記記録用の参照光反射手段が揺動することによって上記反射後の参照光の入射角が変化しても、この反射後の参照光を上記照射部位に向けて指向させるように配置されていることを特徴とする、ホログラム記録装置。
【請求項２】
再生時に所定の光路に沿って進行してきた参照光を反射することにより、反射後の参照光を上記ホログラム記録媒体に対して上記記録用の参照光反射手段とは反対側から上記照射部位へと導く再生用の参照光反射手段を備え、上記揺動手段は、上記記録用および再生用の参照光反射手段を一括して上記所定の軸周りに揺動させるように構成されている、請求項１に記載のホログラム記録装置。
【請求項３】
再生時に所定の光路に沿って進行してきた参照光を反射することにより、反射後の参照光を上記ホログラム記録媒体に対して上記記録用の参照光反射手段とは反対側から上記照射部位へと導く再生用の参照光反射手段を備え、この再生用の参照光反射手段は、上記所定の軸、あるいはこれと略一致した軸周りに揺動させられるように構成されている、請求項１に記載のホログラム記録装置。
【請求項４】
上記所定の軸は、上記照射部位の範囲内、あるいはその照射部位の近傍に配置されている、請求項１ないし３のいずれかに記載のホログラム記録装置。
【請求項５】
ホログラム記録媒体に対して記録光を照射するとともに、上記ホログラム記録媒体における上記記録光の照射部位に参照光を照射し、これら記録光と参照光との干渉によって上記照射部位にホログラムを多重記録するホログラム記録再生方法であって、
記録時に所定の光路に沿って進行してきた上記参照光を、記録用の参照光反射手段によって反射することにより、反射後の参照光を上記照射部位へと導くとともに、上記ホログラム記録媒体に対する上記反射後の参照光の入射角を変化させつつも、この反射後の参照光を上記照射部位に向けて指向させるように、上記記録用の参照光反射手段を所定の軸周りに揺動させることを特徴とする、ホログラム記録再生方法。
【請求項６】
再生時に所定の光路に沿って進行してきた参照光を再生用の参照光反射手段によって反射することにより、反射後の参照光を上記ホログラム記録媒体に対して上記記録用の参照光反射手段とは反対側から上記照射部位へと導くとともに、上記ホログラム記録媒体に対する上記反射後の参照光の入射角を変化させるように、上記記録用および再生用の参照光反射手段を一括して上記所定の軸周りに揺動させる、請求項５に記載のホログラム記録再生方法。
【請求項７】
再生時に所定の光路に沿って進行してきた参照光を再生用の参照光反射手段によって反射することにより、反射後の参照光を上記ホログラム記録媒体に対して上記記録用の参照光反射手段とは反対側から上記照射部位へと導くとともに、上記ホログラム記録媒体に対する上記反射後の参照光の入射角を変化させつつも、この反射後の参照光を上記照射部位に向けて指向させるように、上記所定の軸、あるいはこれと略一致した軸周りに上記再生用の参照光反射手段を揺動させる、請求項５に記載のホログラム記録再生方法。
【発明の詳細な説明】
【技術分野】
【０００１】
本発明は、一定入射角の記録光と可変入射角の参照光との干渉によってホログラムを多重記録するホログラム記録装置およびホログラム記録再生方法に関する。
【背景技術】
【０００２】
従来のホログラム記録方法としては、特許文献１に開示されたものがある。同文献に開示されたものは、ホログラム記録媒体に対して垂直に記録光を照射するとともに、この記録光の照射部位に対し、多重ミラーの傾きを制御することで入射角を変化させながら参照光を照射するものである。多重ミラーは、支持部材によって支持された箇所を支点に傾けられ、支持部材は、ホログラム記録媒体に対して平行移動するように構成されている。参照光は、多重ミラーの傾きに応じてホログラム記録媒体に対する入射角が変化させられ、その際、多重ミラーがホログラム記録媒体に対して平行移動することで参照光が照射部位に位置合わせされる。このような構成によれば、照射部位において記録光と参照光とが干渉することにより、これらの交差角に応じたホログラムが多重記録される。【０００３】
【特許文献１】特開２００５−２３４１４５号公報
【０００４】
しかしながら、上記従来のホログラム記録方法では、参照光の入射角を変化させるために多重ミラーの傾きを制御しなければならないのに加え、照射部位から参照光がずれないようにホログラム記録媒体に対する多重ミラーの平行移動量を制御しなければならないため、制御としては複雑になるという難点があった。
【発明の開示】
【０００５】
本発明は、上記した事情のもとで考え出されたものである。本発明は、参照光についての入射角可変制御と照射位置合わせ制御とを簡単に行うことができるホログラム記録装置およびホログラム記録再生方法を提供することをその課題としている。
【０００６】
上記課題を解決するため、本発明では、次の技術的手段を講じている。
【０００７】
本発明の第１の側面により提供されるホログラム記録装置は、ホログラム記録媒体に対して記録光を照射するとともに、上記ホログラム記録媒体における上記記録光の照射部位に参照光を照射し、これら記録光と参照光との干渉によって上記照射部位にホログラムを多重記録するホログラム記録装置であって、記録時に所定の光路に沿って進行してきた上記参照光を反射することにより、反射後の参照光を上記照射部位へと導く記録用の参照光反射手段と、上記ホログラム記録媒体に対する上記反射後の参照光の入射角を変化させるように、上記記録用の参照光反射手段を所定の軸周りに揺動させる揺動手段とを備え、上記記録用の参照光反射手段は、上記所定の光路と交錯するように配置されている一方、上記揺動手段における上記所定の軸は、上記記録用の参照光反射手段が揺動することによって上記反射後の参照光の入射角が変化しても、この反射後の参照光を上記照射部位に向けて指向させるように配置されていることを特徴としている。
【０００８】
好ましくは、再生時に所定の光路に沿って進行してきた参照光を反射することにより、反射後の参照光を上記ホログラム記録媒体に対して上記記録用の参照光反射手段とは反対側から上記照射部位へと導く再生用の参照光反射手段を備え、上記揺動手段は、上記記録用および再生用の参照光反射手段を一括して上記所定の軸周りに揺動させるように構成されている。
【０００９】
好ましくは、再生時に所定の光路に沿って進行してきた参照光を反射することにより、反射後の参照光を上記ホログラム記録媒体に対して上記記録用の参照光反射手段とは反対側から上記照射部位へと導く再生用の参照光反射手段を備え、この再生用の参照光反射手段は、上記所定の軸、あるいはこれと略一致した軸周りに揺動させられるように構成されている。
【００１０】
好ましくは、上記所定の軸は、上記照射部位の範囲内、あるいはその照射部位の近傍に配置されている。
【００１１】
本発明の第２の側面により提供されるホログラム記録再生方法は、ホログラム記録媒体に対して記録光を照射するとともに、上記ホログラム記録媒体における上記記録光の照射部位に参照光を照射し、これら記録光と参照光との干渉によって上記照射部位にホログラムを多重記録するホログラム記録再生方法であって、記録時に所定の光路に沿って進行してきた上記参照光を、記録用の参照光反射手段によって反射することにより、反射後の参照光を上記照射部位へと導くとともに、上記ホログラム記録媒体に対する上記反射後の参照光の入射角を変化させつつも、この反射後の参照光を上記照射部位に向けて指向させるように、上記記録用の参照光反射手段を所定の軸周りに揺動させることを特徴としている。
【００１２】
好ましくは、再生時に所定の光路に沿って進行してきた参照光を再生用の参照光反射手段によって反射することにより、反射後の参照光を上記ホログラム記録媒体に対して上記記録用の参照光反射手段とは反対側から上記照射部位へと導くとともに、上記ホログラム記録媒体に対する上記反射後の参照光の入射角を変化させるように、上記記録用および再生用の参照光反射手段を一括して上記所定の軸周りに揺動させる。
【００１３】
好ましくは、再生時に所定の光路に沿って進行してきた参照光を再生用の参照光反射手段によって反射することにより、反射後の参照光を上記ホログラム記録媒体に対して上記記録用の参照光反射手段とは反対側から上記照射部位へと導くとともに、上記ホログラム記録媒体に対する上記反射後の参照光の入射角を変化させつつも、この反射後の参照光を上記照射部位に向けて指向させるように、上記所定の軸、あるいはこれと略一致した軸周りに上記再生用の参照光反射手段を揺動させる。
【図面の簡単な説明】
【００１４】
【図１】本発明が適用されたホログラム記録装置の一実施形態を示す斜視図である。
【図２】図１に示すホログラム記録装置の要部断面図である。
【図３】比較例により光学的作用を説明するための要部断面図である。
【図４】比較例により光学的作用を説明するための要部断面図である。
【図５】比較例により光学的作用を説明するための要部断面図である。
【図６】比較例により光学的作用を説明するための要部断面図である。
【図７】本発明が適用されたホログラム記録装置の他の実施形態を示す要部断面図である。
【図８】本発明が適用されたホログラム記録装置の他の実施形態を示す要部断面図である。
【発明を実施するための最良の形態】
【００１５】
以下、本発明の好ましい実施の形態を、図面を参照して具体的に説明する。【００１６】
図１に示すように、本実施形態のホログラム記録装置Ａは、ディスク状のホログラム記録媒体Ｂに対し、所定の方向に傾けた状態で主光線が一定の入射角θｓ（図２参照）となるように記録光Ｓを照射するとともに、この記録光Ｓとは反対方向に傾けた状態で入射角を可変制御しながら記録光Ｓの照射部位ｐに参照光Ｒを照射し、これら記録光Ｓと参照光Ｒとの干渉によってホログラムを多重記録するものである。【００１７】
ホログラム記録装置Ａは、記録光Ｓを照射するための記録光用の光学系と、ホログラム記録媒体Ｂに対して入射角を可変制御しながら参照光Ｒを照射するための参照光用の光学系とを備えている。図外には、レーザビームを発する光源や、レーザビームを記録光Ｓと参照光Ｒとに分離するためのビームスプリッタ、さらにはレーザビームを平行光に変換するコリメータレンズなどが設けられている。記録光用の光学系は、空間光変調器２、ズームレンズ３、ビームスプリッタ４、および記録光用の対物レンズ５で構成されている。参照光用の光学系は、記録用の参照光反射部材（記録用の参照光反射手段）１０、再生用の参照光反射部材（再生用の参照光反射手段）１１、およびこれらを一体的に揺動させる揺動手段２０で構成されている。揺動手段２０は、Ｕ字型のアーム部材２１および駆動モータ２２によって構成されている。記録用の参照光反射部材１０は、ホログラム記録媒体Ｂの上面側に配置されたアーム部材２１の一端に固定されている。再生用の参照光反射部材１１は、ホログラム記録媒体Ｂの下面側に配置されたアーム部材２１の他端に固定されている。アーム部材２１は、ホログラム記録媒体Ｂの径方向に沿って概ね平行な所定の軸ｘ周りに駆動モータ２２によって揺動させられる。これら記録光用の光学系および参照光用の光学系は、ホログラム記録媒体Ｂの径方向に往復移動可能な移動ヘッド（図示略）に搭載されている。【００１８】
図２に示すように、ホログラム記録媒体Ｂは、たとえばフォトポリマーの記録層９０を中間層として有し、この記録層９０の両側に透光性のカバー層９１，９２を積層した構造からなる。本実施形態では、たとえば記録層９０の厚みが１ｍｍ程度、カバー層９１，９２の厚みが０．５ｍｍ程度である。記録時には、ホログラム記録媒体Ｂの上面側から記録光Ｓおよび参照光Ｒが照射される。再生時には、ホログラム記録媒体Ｂの下面側から参照光Ｒのみが照射される。【００１９】
図外の光源から出射したレーザビームは、図示しないコリメータレンズで平行光に変換された後、ビームスプリッタを介して記録光Ｓと参照光Ｒに分離される。記録光Ｓは、空間光変調器２へと導かれる一方、参照光Ｒは、記録用の参照光反射部材１０あるいは再生用の参照光反射部材１１へと導かれる。【００２０】
空間光変調器２は、たとえば透過型の液晶デバイスからなり、入射した記録光Ｓを記録すべき情報に応じて２次元画素パターンの光に変調する。空間光変調器２から出射した記録光Ｓは、ズームレンズ３を介してビームスプリッタ４へと導かれ、最終的に記録光用の対物レンズ５によって画素ごとに平行光に変換された後、ホログラム記録媒体Ｂに照射される。対物レンズ５は、その光軸がホログラム記録媒体Ｂに対して一定の入射角θｓをなすように配置されている。なお、空間光変調器２から出射した各画素に対応する光は、対物レンズ５を介してそれぞれ異なる入射角をなしながらホログラム記録媒体Ｂに照射されるが、ここでは、対物レンズ５の光軸と一致する主光線をもつ画素が存在するとし、ホログラム記録媒体Ｂに対して一定の入射角θｓをなすものとし、この光軸と一致する主光線を記録光Ｓの主光線と呼称する。本実施形態では、一例として記録光Ｓの入射角θｓが２８degに設定されている。記録光Ｓの照射部位ｐは、ある画素に対する光に着目すれば、図２に示すように断面からみると、記録層９０において平行四辺形状の感光領域をなすように形成される。図２には、平行四辺形状の感光領域が最大幅となるものを示す。【００２１】
図２に示すように、記録用の参照光反射部材１０および再生用の参照光反射部材１１は、それぞれ平面状の反射面１０ａ，１１ａをもち、互いに一体となって所定の軸ｘ周りに揺動させられる。記録用の参照光反射部材１０は、記録光用の対物レンズ５に近接して照射部位ｐの斜め上方に配置されており、ホログラム記録媒体Ｂに対して概ね垂直な光路に沿って進行してきた参照光Ｒを照射部位ｐに向けて斜め下向きに反射させる。参照光反射部材１０の反射面１０ａに入射する前の参照光Ｒの光路方向および光束径は、常に一定になっている。再生用の参照光反射部材１１は、ホログラム記録媒体Ｂを挟んで記録光用の対物レンズ５とは反対側となる照射部位ｐの斜め下方に配置されており、ホログラム記録媒体Ｂに対して概ね平行な光路に沿って進行してきた参照光Ｒを照射部位ｐに向けて斜め上向きに反射させる。参照光反射部材１１の反射面１１ａに入射する前の参照光Ｒの光路方向および光束径も、常に一定になっている。たとえば参照光Ｒの光束径は、２ｍｍ程度である。なお、記録用および再生用の参照光反射部材としては、ガルバノミラーや反射型回折格子を採用してもよい。再生時には、対物レンズ５によって各画素に対応する光が平行光に変換される必要はなく、収束光となってもよい。収束光となった場合、ホログラム記録媒体Ｂ内において平行光になることはなく、対物レンズ５によって収束角度が比較的小さい収束光に変換される。【００２２】
図２には、揺動中心の位置で停止した状態の参照光反射部材１０，１１が実線で示されている。このとき、参照光Ｒの入射角θｒは、たとえば５８deg程度である。参照光反射部材１０，１１は、所定の軸ｘ周りに一定の揺動範囲で揺動され、その結果、参照光Ｒの入射角は、θｒ±αの範囲で変化させられる。±αの値は、たとえば±１５deg程度である。参照光反射部材１０，１１の揺動中心となる所定の軸ｘは、概ね照射部位ｐの下方となる所定位置に設定されている。具体的に本実施形態においては、照射部位ｐに含まれる記録光Ｓの焦点ｓから下方向に３．９５ｍｍ、および右方向に０．３８ｍｍずれた所定位置に軸ｘが配置されている。その他の寸法としては、揺動中心の位置にある状態において、反射面１０ａにおける参照光Ｒの入射中心位置から所定の軸ｘまでの直線距離が１５．１８ｍｍに設定されている。このような参照光Ｒの入射角θｒについては、たとえば入射角θｒを±１５deg変化させる場合、ホログラム記録媒体Ｂに対する反射面１０ａ，１１ａの傾き角が入射角変化量の半分となる±７．５degの範囲で変化するように参照光反射部材１０，１１が揺動させられる。なお、所定の軸ｘは、設計条件から上記したような所定位置に配置されたものであり、揺動時のぶれなどによって所定位置からある程度ずれるようなものであってもよい。【００２３】
記録光Ｓは、対物レンズ５によって集光され、照射部位ｐにおいて参照光Ｒと重なるように照射される。対物レンズ５は、記録光Ｓの主光線が一定の入射角θｓで照射されるようにホログラム記録媒体Ｂに対して斜めに設けられている。そのため、参照光Ｒについては、対物レンズ５にけられることなく入射角θｒを大きく変化させることができる。これにより、参照光Ｒの入射角θｒについては、より細かく多元的に可変制御されることとなり、ホログラムの多重度を高めやすくなっている。図２に示すように、照射部位ｐにおいては、記録光Ｓと参照光Ｒとが干渉することでホログラムが記録される。すなわち、ホログラム記録媒体Ｂの記録層９０には、参照光Ｒの入射角θｒが変化するのに応じて異なる干渉パターンのホログラムが多重記録される。【００２４】
次に、ホログラム記録装置Ａの光学的作用について説明する。【００２５】
図２に示すように、記録時に参照光反射部材１０が揺動中心の位置にある状態では、入射角θｓ（＝２８deg）の光軸をもつ対物レンズ５で集光された記録光Ｓと所定の入射角θｒ（＝５８deg）からなる参照光Ｒとが記録層９０において干渉し、この参照光Ｒの入射角θｒに応じたホログラムが照射部位ｐに記録される。入射角θｒの参照光Ｒは、図２に粗い破線で示されるように、照射部位ｐ全体をカバーするように照射される。そのため、照射部位ｐにおいては、無駄なくホログラムが記録される。【００２６】
次に、記録光Ｓの主光線が入射角θｓで照射された状態で参照光Ｒの入射角は、θｒからθｒ−α（＝４３deg）となるように変化させられる。このとき、記録用の参照光反射部材１０は、α／２の角度だけ所定の軸ｘを中心として反時計回りの方向に揺動させられる。図２において、入射角がθｒ−αの参照光Ｒは、細い実線で示され、その際の反射面１０ａは、一点鎖線で示される。すなわち、入射角がθｒ−αの参照光Ｒも、照射部位ｐ全体をカバーするように照射されるため、照射部位ｐには、参照光Ｒの入射角θｒ−αに応じたホログラムが先に記録済みのホログラムと光学的に重なった状態で無駄なく記録される。【００２７】
さらに、参照光Ｒの入射角は、θｒからθｒ＋α（＝７３deg）となるようにも変化させられる。このとき、記録用の参照光反射部材１０は、α／２の角度だけ所定の軸ｘを中心として時計回りの方向に揺動させられる。図２において、入射角がθｒ＋αの参照光Ｒは、細い破線で示され、その際の反射面１０ａは、二点鎖線で示される。すなわち、入射角がθｒ＋αの参照光Ｒも、照射部位ｐ全体をカバーするように照射され、照射部位ｐには、参照光Ｒの入射角θｒ＋αに応じたホログラムが先に記録済みのホログラムと光学的に重なった状態で無駄なく記録される。【００２８】
このように参照光Ｒの入射角をθｒ±αの角度範囲で変化させる際には、所定位置に設定された所定の軸ｘ周りに±α／２の角度範囲で記録用の参照光反射部材１０を揺動させるだけでよい。その際、参照光Ｒは、必ず照射部位ｐ全体を覆うように照射されるため、照射部位ｐ全体の大きさを有効に利用してホログラムを高密度に多重記録することができる。【００２９】
再生時には、ホログラムが多重記録された照射部位ｐに対し、記録時と同じ入射角となるように再生用の参照光反射部材１１を揺動させながらホログラム記録媒体Ｂの下方から参照光Ｒが照射される。照射部位ｐからは、参照光Ｒがホログラムと干渉することで再生光が生じ、この再生光を受光することでホログラムとして記録された情報が再生される。この際においても、所定の軸ｘ周りに記録時と同程度の角度範囲で再生用の参照光反射部材１１を揺動させるだけでよく、参照光Ｒは、必ず照射部位ｐ全体を覆うように照射される。そのため、ホログラムとして照射部位ｐに記録された情報については、確実に再生することができる。【００３０】
図３〜６は、比較例として所定の軸の位置を変更した形態を示している。なお、所定の軸の位置に関する以外の諸条件については、図２に示すものと同一条件である。【００３１】
図３は、図２の所定の軸ｘに対し、左方向および下方向にそれぞれ２ｍｍ程度位置をずらした軸ｘ１を示している。この場合、照射部位ｐにおいては、細い実線で示す入射角θｒ−αの参照光Ｒが左寄りに照射され、細い破線で示す入射角θｒ＋αの参照光Ｒが右寄りに照射される。すなわち、参照光Ｒについては、入射角が小さいものと大きいものとで照射部位ｐの両側に離れやすくなり、照射部位ｐを中心に指向させることが困難となる。そのため、図３に示す軸ｘ１の位置は、入射角を変化させながら照射部位ｐ全体をカバーするように参照光Ｒを照射するには不適切である。【００３２】
図４は、図２の所定の軸ｘに対し、図３とは逆方向となる右方向および上方向にそれぞれ２ｍｍ程度位置をずらした軸ｘ２を示している。この場合、照射部位ｐにおいては、細い実線で示す入射角θｒ−αの参照光Ｒが右寄りに照射され、細い破線で示す入射角θｒ＋αの参照光Ｒが左寄りに照射される。すなわち、この場合には、図３とは逆の傾向となるが、参照光Ｒについては、図３と同様に入射角が小さいものと大きいものとで照射部位ｐの両側に離れやすくなるため、照射部位ｐを中心に指向させることが困難となる。したがって、図４に示す軸ｘ２の位置によっても、入射角を変化させながら照射部位ｐ全体をカバーするように参照光Ｒを照射するには不適切である。【００３３】
図５は、図２の所定の軸ｘに対し、右方向および下方向にそれぞれ２ｍｍ程度位置をずらした軸ｘ３を示している。この場合、照射部位ｐにおいては、図３や図４に示すような顕著な傾向がみられないものの、参照光Ｒは、入射角が小さいものと大きいものとで照射部位ｐの両側に若干離れた状態となる。そのため、図５に示す軸ｘ３の位置も、図２と比べた場合には最適な位置として採用することができない。【００３４】
図６は、図２の所定の軸ｘに対し、左方向および上方向にそれぞれ２ｍｍ程度位置をずらした軸ｘ４を示している。この場合、照射部位ｐにおいては、図２に示すような傾向とほとんど同じような傾向がみられ、参照光Ｒは、入射角が大小変化しても概ね照射部位ｐに指向させられる。そのため、図６に示す軸ｘ４の位置は、適切な位置として採用することができる。【００３５】
したがって、本実施形態のホログラム記録装置Ａによれば、照射部位ｐの概ね下方となる照射部位ｐの近傍に配置された所定の軸ｘ周りに参照光反射部材１０，１１を一括して揺動させることにより、照射部位ｐに対してずれないように参照光Ｒを指向させながら照射することができるので、参照光Ｒの入射角可変制御と照射部位ｐに対する照射位置合わせ制御とを簡単かつ同時に行うことができる。【００３６】
図７および図８は、本発明が適用されたホログラム記録装置の他の実施形態を示している。なお、先述した実施形態によるものと同一または類似の構成要素については、同一符号を付してその説明を省略する。【００３７】
図７に示す実施形態においては、記録用および再生用の参照光反射部材１０，１１の揺動中心となる所定の軸ｘ５の位置が、照射部位ｐの近傍となるホログラム記録媒体Ｂの厚み範囲内に設定されている。その他、先述した実施形態によるものと異なる点としては、参照光Ｒの光束径が１ｍｍ程度であり、記録用および再生用の参照光反射部材１０，１１が全体的に小型になっている。これらの参照光反射部材１０，１１は、所定の角度範囲内で所定の軸ｘ５周りに揺動させられることにより、参照光Ｒの入射角は、たとえば３６〜６６deg程度の範囲で変化させられる。これにより、アーム部材（図示略）のイナーシャが小さくなり、参照光反射部材１０，１１を揺動させるための駆動モータ２２の負荷を低減させることができる。【００３８】
このように、照射部位ｐの近傍となるホログラム記録媒体Ｂの厚み範囲内に所定の軸ｘ５の位置を設定しても、記録時および再生時ともに参照光Ｒを概ね照射部位ｐに指向させることができる。これにより、参照光Ｒの入射角可変制御と照射部位ｐに対する照射位置合わせ制御とを簡単に行うことができる。【００３９】
図８に示す実施形態においては、記録用および再生用の参照光反射部材１０，１１の揺動中心となる所定の軸ｘ６の位置が、照射部位ｐの範囲内に設定されている。その他、先述した実施形態によるものと異なる点としては、記録用の参照光反射部材１０がホログラム記録媒体Ｂに沿って平行に進行してきた参照光Ｒを照射部位ｐに向けて反射するように構成されているとともに、再生用の参照光反射部材１１がホログラム記録媒体Ｂに対して垂直に進行してきた参照光Ｒを照射部位ｐに向けて反射するように構成されている。このような構成により、参照光Ｒの入射角は、たとえば５１〜６６deg程度の範囲で変化させられる。【００４０】
このように、照射部位ｐの近傍の上部に所定の軸ｘ６の位置を設定しても、記録時および再生時ともに参照光Ｒを概ね照射部位ｐに指向させることができ、参照光Ｒの入射角可変制御と照射部位ｐに対する照射位置合わせ制御とを簡単に行うことができる。【００４１】
なお、本発明は、上記の実施形態に限定されるものではない。【００４２】
上記実施形態で示した寸法や値などは、あくまでも一例にすぎず、仕様に応じて適宜設計変更することが可能である。【００４３】
記録用および再生用の参照光反射部材としてガルバノミラーを採用した場合には、これれらのガルバノミラーをそれぞれ独立して駆動することができるので、各ガルバノミラーの揺動中心となる所定の軸は、必ずしも完全に一致させる必要はなく、ある程度の範囲でずれていてもよい。【００４４】
参照光反射部材に対して入射する前の参照光の光路は、記録用の参照光および再生用の参照光ともにホログラム記録媒体に対して垂直であってもよく、あるいはホログラム記録媒体に沿ってともに平行であってもよい。もちろん、どちらの光路も垂直や平行からずれた角度をもったものでもよい。これらの光路の傾きに合わせた所定の軸と参照光反射部材の配置とすれば設計可能である。【００４５】
ホログラム記録媒体に対しては、その下面側から記録用の参照光を照射し、上面側から再生用の参照光を照射するように構成してもよい。
【図１】
2008001573.tif 000003
【図２】
2008001573.tif 000004
【図３】
2008001573.tif 000005
【図４】
2008001573.tif 000006
【図５】
2008001573.tif 000007
【図６】
2008001573.tif 000008
【図７】
2008001573.tif 000009
【図８】
2008001573.tif 000010
【国際調査報告】
2008001573.tif 000011
2008001573.tif 000012